(57)【要約】  本発明は、ＱＯＳフローの再マッピング方法および装置、コンピュータ記憶媒体を開示し、前記方法は、第１の機器が、第１のＱｏＳフローを第１のＤＲＢから第２のＤＲＢに再マッピングする必要があると決定した後、前記第１の機器のＳＤＡＰエンティティが第１のデータパケットを決定することであって、前記第１のデータパケットは、前記第１のＱｏＳフローによって前記第１のＤＲＢで送信された最後の１つのデータパケットであることと、前記第１の機器のＳＤＡＰエンティティが、前記第１のＱｏＳフローが前記第１のＤＲＢで前記第１のデータパケットの伝送を完了したと決定した後、前記第１のＱｏＳフローを前記第２のＤＲＢにマッピングし、且つ前記第１のＱｏＳフローにおける前記第１のデータパケットの後のデータパケットを前記第２のＤＲＢで伝送することとを含む。
2021517750.tif 000002
【特許請求の範囲】
【請求項１】
サービスの品質（ＱｏＳ）フローの再マッピング方法であって、
第１の機器が、第１のＱｏＳフローを第１のデータ無線ベアラ（ＤＲＢ）から第２のＤＲＢに再マッピングする必要があると決定した後、前記第１の機器のサービスデータアダプテーションプロトコル（ＳＤＡＰ）エンティティが第１のデータパケットを決定することであって、前記第１のデータパケットは、前記第１のＱｏＳフローによって前記第１のＤＲＢで送信された最後の１つのデータパケットであることと、
前記第１の機器のＳＤＡＰエンティティが、前記第１のＱｏＳフローが前記第１のＤＲＢで前記第１のデータパケットの伝送を完了したと決定した後、前記第１のＱｏＳフローを前記第２のＤＲＢにマッピングし、且つ前記第１のＱｏＳフローにおける前記第１のデータパケットの後のデータパケットを前記第２のＤＲＢで伝送することとを含む、前記ＱｏＳフローの再マッピング方法。
【請求項２】
前記第１の機器のＳＤＡＰエンティティが、前記第１のＱｏＳフローが前記第１のＤＲＢで前記第１のデータパケットの伝送を完了したと決定することは、
前記第１の機器のＳＤＡＰエンティティが、前記第１のＤＲＢに対応するパケットデータコンバージェンスプロトコル（ＰＤＣＰ）エンティティに第１の指示情報を送信することであって、前記第１の指示情報は、前記第１のＱｏＳフローによって前記第１のＤＲＢで送信された最後の１つのデータパケットが前記第１のデータパケットであることを指示するために使用されることと、
前記第１のＤＲＢに対応するＰＤＣＰエンティティが、前記第１のデータパケットが第２の機器によって正常に受信されたことを確認した後、前記第１の機器のＳＤＡＰエンティティに第２の指示情報を送信することであって、前記第２の指示情報は、前記第１のＱｏＳフローが前記第１のＤＲＢで前記第１のデータパケットの伝送を完了したことを指示するために使用されることとを含む、
請求項１に記載のＱｏＳフローの再マッピング方法。
【請求項３】
前記第１のＱｏＳフローを前記第２のＤＲＢにマッピングし、且つ前記第１のＱｏＳフローにおける前記第１のデータパケットの後のデータパケットを前記第２のＤＲＢで伝送することは、
前記第１の機器のＳＤＡＰエンティティが、前記第１のＱｏＳフローにおける前記第１のデータパケットの後のデータパケットを前記第２のＤＲＢにマッピングし、前記第２のＤＲＢに対応するＰＤＣＰエンティティを介して、前記第１のＱｏＳフローにおける前記第１のデータパケットの後のデータパケットを送信することを含む、
請求項１または２に記載のＱｏＳフローの再マッピング方法。
【請求項４】
前記ＱｏＳフローの再マッピング方法は、
前記第１の機器が、第１のＱｏＳフローを第１のＤＲＢから第２のＤＲＢに再マッピングする必要があると決定した後、前記第１の機器のＳＤＡＰエンティティが、前記第１のＱｏＳフローにおける前記第１のデータパケットの後のデータパケットをキャッシュすることをさらに含む、
請求項１ないし３のいずれか一項に記載のＱｏＳフローの再マッピング方法。
【請求項５】
前記第１のＱｏＳフローを前記第２のＤＲＢにマッピングし、且つ前記第１のＱｏＳフローにおける前記第１のデータパケットの後のデータパケットを前記第２のＤＲＢで伝送することは、
キャッシュされた前記第１のＱｏＳフローにおける前記第１のデータパケットの後のデータパケットを前記第２のＤＲＢで伝送することを含む、
請求項４に記載のＱｏＳフローの再マッピング方法。
【請求項６】
前記第１の機器が、第１のＱｏＳフローを第１のＤＲＢから第２のＤＲＢに再マッピングする必要があると決定することは、
前記第１の機器が、取得した前記第１のＱｏＳフローと前記第２のＤＲＢとのマッピング関係に基づいて、前記第１のＱｏＳフローを前記第１のＤＲＢから前記第２のＤＲＢに再マッピングする必要があると決定することを含む、
請求項１ないし５のいずれか一項に記載のＱｏＳフローの再マッピング方法。
【請求項７】
前記第１のＱｏＳフローと前記第２のＤＲＢとのマッピング関係は、前記第１のＱｏＳフローのＱｏＳに基づいて決定されるか、無線リソース制御（ＲＲＣ）シグナリングに基づいて決定される、
請求項６に記載のＱｏＳフローの再マッピング方法。
【請求項８】
前記第１の機器は、基地局または端末である、
請求項１ないし７のいずれか一項に記載のＱｏＳフローの再マッピング方法。
【請求項９】
ＱｏＳフローの再マッピング装置であって、
第１の機器に適用され、前記装置は、
第１のＱｏＳフローを第１のデータ無線ベアラ（ＤＲＢ）から第２のＤＲＢに再マッピングする必要があると決定するように構成される第１の決定ユニットと、
前記第１の機器のＳＤＡＰエンティティを介して第１のデータパケットを決定するように構成される第２の決定ユニットであって、前記第１のデータパケットは、前記第１のＱｏＳフローによって前記第１のＤＲＢで送信された最後の１つのデータパケットである第２の決定ユニットと、
前記第１の機器のＳＤＡＰエンティティを介して、前記第１のＱｏＳフローが前記第１のＤＲＢで前記第１のデータパケットの伝送を完了したと決定するように構成される第３の決定ユニットと、
前記第１のＱｏＳフローを前記第２のＤＲＢにマッピングし、且つ前記第１のＱｏＳフローにおける前記第１のデータパケットの後のデータパケットを前記第２のＤＲＢで伝送するように構成される伝送ユニットとを含む、前記ＱｏＳフローの再マッピング装置。
【請求項１０】
前記第３の決定ユニットは、前記第１の機器のＳＤＡＰエンティティを介して、前記第１のＤＲＢに対応するＰＤＣＰエンティティに第１の指示情報を送信するように構成され、前記第１の指示情報は、前記第１のＱｏＳフローによって前記第１のＤＲＢで送信された最後の１つのデータパケットが前記第１のデータパケットであることを指示するために使用され、
前記第３の決定ユニットは、前記第１のＤＲＢに対応するＰＤＣＰエンティティを介して、前記第１のデータパケットが第２の機器によって正常に受信されたことを確認した後、前記第１の機器のＳＤＡＰエンティティに第２の指示情報を送信するように構成され、前記第２の指示情報は、前記第１のＱｏＳフローが前記第１のＤＲＢで前記第１のデータパケットの伝送を完了したことを指示するために使用される、
請求項９に記載のＱｏＳフローの再マッピング装置。
【請求項１１】
前記伝送ユニットは、前記第１の機器のＳＤＡＰエンティティを介して、前記第１のＱｏＳフローにおける前記第１のデータパケットの後のデータパケットを前記第２のＤＲＢにマッピングし、前記第２のＤＲＢに対応するＰＤＣＰエンティティを介して、前記第１のＱｏＳフローにおける前記第１のデータパケットの後のデータパケットを送信するように構成される、
請求項９または１０に記載のＱｏＳフローの再マッピング装置。
【請求項１２】
前記ＱｏＳフローの再マッピング装置は、
前記第１の機器のＳＤＡＰエンティティを介して、前記第１のＱｏＳフローにおける前記第１のデータパケットの後のデータパケットをキャッシュするように構成されるキャッシュユニットをさらに含む、
請求項９ないし１１のいずれか一項に記載のＱｏＳフローの再マッピング装置。
【請求項１３】
前記伝送ユニットは、キャッシュされた前記第１のＱｏＳフローにおける前記第１のデータパケットの後のデータパケットを前記第２のＤＲＢで伝送するように構成される、
請求項１２に記載のＱｏＳフローの再マッピング装置。
【請求項１４】
前記第１の決定ユニットは、取得した前記第１のＱｏＳフローと前記第２のＤＲＢとのマッピング関係に基づいて、前記第１のＱｏＳフローを前記第１のＤＲＢから前記第２のＤＲＢに再マッピングする必要があると決定するように構成される、
請求項９ないし１３のいずれか一項に記載のＱｏＳフローの再マッピング装置。
【請求項１５】
前記第１のＱｏＳフローと前記第２のＤＲＢとのマッピング関係は、前記第１のＱｏＳフローのＱｏＳに基づいて決定されるか、ＲＲＣシグナリングに基づいて決定される、
請求項１４に記載のＱｏＳフローの再マッピング装置。
【請求項１６】
前記第１の機器は、基地局または端末である、
請求項９ないし１５のいずれか一項に記載のＱｏＳフローの再マッピング装置。
【請求項１７】
コンピュータ実行可能な命令が記憶されるコンピュータ記憶媒体であって、
前記コンピュータ実行可能な命令がプロセッサによって実行される時に、請求項１ないし８のいずれか一項に記載の方法を実現する、前記コンピュータ記憶媒体。
【発明の詳細な説明】
【技術分野】
【０００１】
本発明は、無線通信技術分野に関し、特に、サービスの品質（ＱｏＳ：Ｑｕａｌｉｔｙ  ｏｆ  Ｓｅｒｖｉｃｅ）フローの再マッピング方法および装置、コンピュータ記憶媒体に関する。
【背景技術】
【０００２】
第５世代（５Ｇ：５ｔｈ  Ｇｅｎｅｒａｔｉｏｎ）ニューラジオ（ＮＲ：Ｎｅｗ  Ｒａｄｉｏ）のＱｏＳマッピングは、主に、非アクセス層のマッピング（ＮＡＳ  Ｍａｐｐｉｎｇ）およびアクセス層のマッピング（ＡＳ  Ｍａｐｐｉｎｇ）の２つの部分を含み、具体的には、ＩＰフロー（ＩＰ  ｆｌｏｗ）からＱｏＳフロー（ＱｏＳ  ｆｌｏｗ）へのマッピング、およびＱｏＳフローからデータ無線ベアラ（ＤＲＢ：Ｄａｔａ  Ｒａｄｉｏ  Ｂｅａｒｅｒ）へのマッピングの２つの部分のマッピングを含む。
【０００３】
無線リソース制御（ＲＲＣ：Ｒａｄｉｏ  Ｒｅｓｏｕｒｃｅ  Ｃｏｎｔｒｏｌ）接続が最初に構築された時、無線アクセスネットワーク（ＲＡＮ：Ｒａｄｉｏ  Ａｃｃｅｓｓ  Ｎｅｔｗｏｒｋ）側にはデフォルトベアラ（ｄｅｆａｕｌｔ  ＤＲＢ）のみが構築され、そうなると、異なるＱｏＳ  ｆｌｏｗからのデータのすべてはｄｅｆａｕｌｔ  ＤＲＢにマッピングされる。後期に、特定のＱｏＳ  ｆｌｏｗに対応するＤＲＢが構築された後、前記ＱｏＳ  ｆｌｏｗのデータは、新しいＤＲＢに再マッピング（ｒｅｍａｐｐｉｎｇ）する必要がある。図１に示されたように、ＲＲＣ接続が最初に構築された時、ＱｏＳ  ｆｌｏｗ１とＱｏＳ  ｆｌｏｗ２の両方がＤＲＢ１にマッピングされ、優先度のより高いＤＲＢ２が構築された後（ＱｏＳ  ｆｌｏｗ２の要件により適合する）、ＱｏＳ  ｆｌｏｗ２のデータは、ＤＲＢ２にｒｅｍａｐする必要がある。
【０００４】
上記のシナリオに加えて、ＱｏＳ  ｆｌｏｗの再マッピングは、ハンドオーバ、デュアル接続のシナリオでも発生する可能性があり、ＱｏＳ  ｆｌｏｗのデータがｒｅｍａｐｐｉｎｇされる時に、中断されることなく、パケットが失われずに伝送され、受信側で順次に配信されることをどうやって保証するかは解決すべきな問題である。
【発明の概要】
【発明が解決しようとする課題】
【０００５】
上記の技術的課題を解決するために、本発明の実施例は、ＱｏＳフローの再マッピング方法および装置、コンピュータ記憶媒体を提供する。
【課題を解決するための手段】
【０００６】
本発明の実施例によって提供されたＱｏＳフローの再マッピング方法は、
第１の機器が、第１のＱｏＳフローを第１のＤＲＢから第２のＤＲＢに再マッピングする必要があると決定した後、前記第１の機器のサービスデータアダプテーションプロトコル（ＳＤＡＰ：Ｓｅｒｖｉｃｅ  Ｄａｔａ  Ａｄａｐｔａｔｉｏｎ  Ｐｒｏｔｏｃｏｌ）エンティティが第１のデータパケットを決定することであって、前記第１のデータパケットは、前記第１のＱｏＳフローによって前記第１のＤＲＢで送信された最後の１つのデータパケットであることと、
前記第１の機器のＳＤＡＰエンティティが、前記第１のＱｏＳフローが前記第１のＤＲＢで前記第１のデータパケットの伝送を完了したと決定した後、前記第１のＱｏＳフローを前記第２のＤＲＢにマッピングし、且つ前記第１のＱｏＳフローにおける前記第１のデータパケットの後のデータパケットを前記第２のＤＲＢで伝送することとを含む。
【０００７】
本発明の実施例において、前記第１の機器のＳＤＡＰエンティティが、前記第１のＱｏＳフローが前記第１のＤＲＢで前記第１のデータパケットの伝送を完了したと決定することは、
前記第１の機器のＳＤＡＰエンティティが、前記第１のＤＲＢに対応するパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）エンティティに第１の指示情報を送信することであって、前記第１の指示情報は、前記第１のＱｏＳフローによって前記第１のＤＲＢで送信された最後の１つのデータパケットが前記第１のデータパケットであることを指示するために使用されることと、
前記第１のＤＲＢに対応するＰＤＣＰエンティティが、前記第１のデータパケットが第２の機器によって正常に受信されたことを確認した後、前記第１の機器のＳＤＡＰエンティティに第２の指示情報を送信することであって、前記第２の指示情報は、前記第１のＱｏＳフローが前記第１のＤＲＢで前記第１のデータパケットの伝送を完了したことを指示するために使用されることとを含む。
【０００８】
本発明の実施例において、前記第１のＱｏＳフローを前記第２のＤＲＢにマッピングし、且つ前記第１のＱｏＳフローにおける前記第１のデータパケットの後のデータパケットを前記第２のＤＲＢで伝送することは、
前記第１の機器のＳＤＡＰエンティティが、前記第１のＱｏＳフローにおける前記第１のデータパケットの後のデータパケットを前記第２のＤＲＢにマッピングし、前記第２のＤＲＢに対応するＰＤＣＰエンティティを介して、前記第１のＱｏＳフローにおける前記第１のデータパケットの後のデータパケットを送信することを含む。
【０００９】
本発明の実施例において、前記方法は、
前記第１の機器が、第１のＱｏＳフローを第１のＤＲＢから第２のＤＲＢに再マッピングする必要があると決定した後、前記第１の機器のＳＤＡＰエンティティが、前記第１のＱｏＳフローにおける前記第１のデータパケットの後のデータパケットをキャッシュすることをさらに含む。
【００１０】
本発明の実施例において、前記第１のＱｏＳフローを前記第２のＤＲＢにマッピングし、且つ前記第１のＱｏＳフローにおける前記第１のデータパケットの後のデータパケットを前記第２のＤＲＢで伝送することは、
キャッシュされた前記第１のＱｏＳフローにおける前記第１のデータパケットの後のデータパケットを前記第２のＤＲＢで伝送するを含む。
【００１１】
本発明の実施例において、前記第１の機器が、第１のＱｏＳフローを第１のＤＲＢから第２のＤＲＢに再マッピングする必要があると決定することは、
前記第１の機器が、取得した前記第１のＱｏＳフローと前記第２のＤＲＢとのマッピング関係に基づいて、前記第１のＱｏＳフローを前記第１のＤＲＢから前記第２のＤＲＢに再マッピングする必要があると決定することを含む。
【００１２】
本発明の実施例において、前記第１のＱｏＳフローと前記第２のＤＲＢとのマッピング関係は、前記第１のＱｏＳフローのＱｏＳに基づいて決定されるか、無線リソース制御（ＲＲＣ）シグナリングに基づいて決定される。
【００１３】
本発明の実施例において、前記第１の機器は、基地局または端末である。
【００１４】
本発明の実施例によって提供されたＱｏＳフローの再マッピング装置は、第１の機器に適用され、前記装置は、
第１のＱｏＳフローを第１のデータ無線ベアラ（ＤＲＢ）から第２のＤＲＢに再マッピングする必要があると決定するように構成される第１の決定ユニットと、
前記第１の機器のＳＤＡＰエンティティを介して第１のデータパケットを決定するように構成される第２の決定ユニットであって、前記第１のデータパケットは、前記第１のＱｏＳフローによって前記第１のＤＲＢで送信された最後の１つのデータパケットである第２の決定ユニットと、
前記第１の機器のＳＤＡＰエンティティを介して、前記第１のＱｏＳフローが前記第１のＤＲＢで前記第１のデータパケットの伝送を完了したと決定するように構成される第３の決定ユニットと、
前記第１のＱｏＳフローを前記第２のＤＲＢにマッピングし、且つ前記第１のＱｏＳフローにおける前記第１のデータパケットの後のデータパケットを前記第２のＤＲＢで伝送するように構成される伝送ユニットとを含む。
【００１５】
本発明の実施例において、前記第３の決定ユニットは、前記第１の機器のＳＤＡＰエンティティを介して、前記第１のＤＲＢに対応するＰＤＣＰエンティティに第１の指示情報を送信し、前記第１の指示情報は、前記第１のＱｏＳフローによって前記第１のＤＲＢで送信された最後の１つのデータパケットが前記第１のデータパケットであることを指示するために使用され、前記第１のＤＲＢに対応するＰＤＣＰエンティティを介して、前記第１のデータパケットが第２の機器によって正常に受信されたことを確認した後、前記第１の機器のＳＤＡＰエンティティに第２の指示情報を送信し、前記第２の指示情報は、前記第１のＱｏＳフローが前記第１のＤＲＢで前記第１のデータパケットの伝送を完了したことを指示するために使用されるように構成される。
【００１６】
本発明の実施例において、前記伝送ユニットは、前記第１の機器のＳＤＡＰエンティティを介して、前記第１のＱｏＳフローにおける前記第１のデータパケットの後のデータパケットを前記第２のＤＲＢにマッピングし、前記第２のＤＲＢに対応するＰＤＣＰエンティティを介して、前記第１のＱｏＳフローにおける前記第１のデータパケットの後のデータパケットを送信するように構成される。
【００１７】
本発明の実施例において、前記装置は、
前記第１の機器のＳＤＡＰエンティティを介して、前記第１のＱｏＳフローにおける前記第１のデータパケットの後のデータパケットをキャッシュするように構成されるキャッシュユニットをさらに含む。
【００１８】
本発明の実施例において、前記伝送ユニットは、キャッシュされた前記第１のＱｏＳフローにおける前記第１のデータパケットの後のデータパケットを前記第２のＤＲＢで伝送するように構成される。
【００１９】
本発明の実施例において、前記第１の決定ユニットは、取得した前記第１のＱｏＳフローと前記第２のＤＲＢとのマッピング関係に基づいて、前記第１のＱｏＳフローを前記第１のＤＲＢから前記第２のＤＲＢに再マッピングする必要があると決定するように構成される。
【００２０】
本発明の実施例において、前記第１のＱｏＳフローと前記第２のＤＲＢとのマッピング関係は、前記第１のＱｏＳフローのＱｏＳに基づいて決定されるか、ＲＲＣシグナリングに基づいて決定される。
【００２１】
本発明の実施例において、前記第１の機器は、基地局または端末である。
【００２２】
本発明の実施例はよって提供されるコンピュータ記憶媒体は、コンピュータ実行可能な命令が記憶され、前記コンピュータ実行可能な命令がプロセッサによって実行される時に、前記ＱＯＳフローの再マッピング方法を実現する。
【００２３】
本発明の実施例の技術的解決策では、第１の機器が、第１のＱｏＳフローを第１のデータ無線ベアラ（ＤＲＢ）から第２のＤＲＢに再マッピングする必要があると決定した後、前記第１の機器のＳＤＡＰエンティティは第１のデータパケットを決定し、前記第１のデータパケットは、前記第１のＱｏＳフローによって前記第１のＤＲＢで送信された最後の１つのデータパケットであり、前記第１の機器のＳＤＡＰエンティティが、前記第１のＱｏＳフローが前記第１のＤＲＢで前記第１のデータパケットの伝送を完了したと決定した後、前記第１のＱｏＳフローを前記第２のＤＲＢにマッピングし、且つ前記第１のＱｏＳフローにおける前記第１のデータパケットの後のデータパケットを前記第２のＤＲＢで伝送する。本発明の実施例の技術的解決策を採用すると、ＱｏＳフローのデータが再マッピングされる時に、中断されることなく、パケットが失われずに伝送されることを保証することができ、さらに、受信側で順次に配信されることができる。
【図面の簡単な説明】
【００２４】
ここで説明される図面は、本発明をさらに理解するために提供され、本発明の一部を構成し、本発明の例示的な実施例およびそれらの説明は、本発明を説明するために使用され、本発明に対する不適切な限定を構成しない。図面において、
【図１】再マッピングの概略図である。
【図２】ＵＥと基地局の間のプロトコル層の概略図である。
【図３】ＳＤＡＰ層およびＰＤＣＰ層の概略図である。
【図４】本発明の実施例のＱｏＳフローの再マッピング方法のフローチャートである。
【図５】本発明の実施例のＱｏＳフローの再マッピング装置の構造的構成の概略図である。
【図６】本発明の実施例のコンピュータ機器の構造的構成の概略図である。
【発明を実施するための形態】
【００２５】
本発明の実施例の技術案を便宜に理解するため、以下、本発明の実施例に関する概念を説明する。
【００２６】
図２を参照すると、端末（ＵＥ）および基地局（ｇＮＢ）側の両方に１つのＡＳ層、即ちＳＤＡＰ層が追加され、ＳＤＡＰ層を介してＤＲＢへのＱｏＳフローのマッピングを完了する。図３を参照すると、１つのＰＤＵセッション（ＰＤＵ  Ｓｅｓｓｉｏｎ）は、１つのＳＤＡＰエンティティに対応し、１つのＰＤＵセッションは複数のＱｏＳフローを含み、ＳＤＡＰエンティティを介してＱｏＳフローをＤＲＢにマッピングすることができ、１つのＤＲＢは１つのＰＤＣＰエンティティに対応する。
【００２７】
図４は、本発明の実施例的ＱｏＳフローの再マッピング方法のフローチャートであり、図４に示されたように、前記ＱｏＳフローの再マッピング方法は、次のステップを含む。
【００２８】
ステップ４０１において、第１の機器が、第１のＱｏＳフローを第１のデータＤＲＢから第２のＤＲＢに再マッピングする必要があると決定した後、前記第１の機器のＳＤＡＰエンティティは第１のデータパケットを決定し、前記第１のデータパケットは、前記第１のＱｏＳフローによって前記第１のＤＲＢで送信された最後の１つのデータパケットである。
【００２９】
本発明の実施例において、前記第１の機器は、基地局または端末である。
【００３０】
一実施形態において、前記第１の機器が、取得した前記第１のＱｏＳフローと前記第２のＤＲＢとのマッピング関係に基づいて、前記第１のＱｏＳフローを前記第１のＤＲＢから前記第２のＤＲＢに再マッピングする必要があると決定する。ここで、前記第１のＱｏＳフローと前記第２のＤＲＢとのマッピング関係は、前記第１のＱｏＳフローのＱｏＳに基づいて決定されるか、ＲＲＣシグナリングに基づいて決定される。
【００３１】
ステップ４０２によいて、前記第１の機器のＳＤＡＰエンティティが、前記第１のＱｏＳフローが前記第１のＤＲＢで前記第１のデータパケットの伝送を完了したと決定した後、前記第１のＱｏＳフローを前記第２のＤＲＢにマッピングし、且つ前記第１のＱｏＳフローにおける前記第１のデータパケットの後のデータパケットを前記第２のＤＲＢで伝送する。
【００３２】
本発明の実施例において、前記第１の機器のＳＤＡＰエンティティが、前記第１のＱｏＳフローが前記第１のＤＲＢで前記第１のデータパケットの伝送を完了したと決定することは、次のプロセスを通じて実現される。
【００３３】
１）前記第１の機器のＳＤＡＰエンティティが、前記第１のＤＲＢに対応するパケットデータコンバージェンスプロトコル（ＰＤＣＰ）エンティティに第１の指示情報を送信し、前記第１の指示情報は、前記第１のＱｏＳフローによって前記第１のＤＲＢで送信された最後の１つのデータパケットが前記第１のデータパケットであることを指示するために使用される。
【００３４】
２）前記第１のＤＲＢに対応するＰＤＣＰエンティティが、前記第１のデータパケットが第２の機器によって正常に受信されたことを確認した後、前記第１の機器のＳＤＡＰエンティティに第２の指示情報を送信し、前記第２の指示情報は、前記第１のＱｏＳフローが前記第１のＤＲＢで前記第１のデータパケットの伝送を完了したことを指示するために使用される。
【００３５】
本発明の実施例において、前記第１のＱｏＳフローを前記第２のＤＲＢにマッピングし、且つ前記第１のＱｏＳフローにおける前記第１のデータパケットの後のデータパケットを前記第２のＤＲＢで伝送することは、
前記第１の機器のＳＤＡＰエンティティが、前記第１のＱｏＳフローにおける前記第１のデータパケットの後のデータパケットを前記第２のＤＲＢにマッピングし、前記第２のＤＲＢに対応するＰＤＣＰエンティティを介して、前記第１のＱｏＳフローにおける前記第１のデータパケットの後のデータパケットを送信することを含む。
【００３６】
一実施形態において、前記第１の機器が、第１のＱｏＳフローを第１のＤＲＢから第２のＤＲＢに再マッピングする必要があると決定した後、前記第１の機器のＳＤＡＰエンティティが、前記第１のＱｏＳフローにおける前記第１のデータパケットの後のデータパケットをキャッシュする。対応的に、前記第１のＱｏＳフローを前記第２のＤＲＢにマッピングし、且つ前記第１のＱｏＳフローにおける前記第１のデータパケットの後のデータパケットを前記第２のＤＲＢで伝送することは、キャッシュされた前記第１のＱｏＳフローにおける前記第１のデータパケットの後のデータパケットを前記第２のＤＲＢで伝送することを含む。
【００３７】
図５は、本発明の実施例のＱＯＳフローの再マッピング装置の構造的構成の概略図であり、第１の機器に適用され、図５に示されたように、前記ＱＯＳフローの再マッピング装置は、
第１のＱｏＳフローを第１のデータ無線ベアラ（ＤＲＢ）から第２のＤＲＢに再マッピングする必要があると決定するように構成される第１の決定ユニット５０１と、
前記第１の機器のＳＤＡＰエンティティを介して第１のデータパケットを決定するように構成される第２の決定ユニット５０２であって、前記第１のデータパケットは、前記第１のＱｏＳフローによって前記第１のＤＲＢで送信された最後の１つのデータパケットである第２の決定ユニット５０２と、
前記第１の機器のＳＤＡＰエンティティを介して、前記第１のＱｏＳフローが前記第１のＤＲＢで前記第１のデータパケットの伝送を完了したと決定するように構成される第３の決定ユニット５０３と、
前記第１のＱｏＳフローを前記第２のＤＲＢにマッピングし、且つ前記第１のＱｏＳフローにおける前記第１のデータパケットの後のデータパケットを前記第２のＤＲＢで伝送するように構成される伝送ユニット５０４とを含む。
【００３８】
一実施形態において、前記第３の決定ユニット５０３は、前記第１の機器のＳＤＡＰエンティティを介して、前記第１のＤＲＢに対応するＰＤＣＰエンティティに第１の指示情報を送信するように構成され、前記第１の指示情報は、前記第１のＱｏＳフローによって前記第１のＤＲＢで送信された最後の１つのデータパケットが前記第１のデータパケットであることを指示するために使用され、前記第３の決定ユニット５０３は、前記第１のＤＲＢに対応するＰＤＣＰエンティティを介して、前記第１のデータパケットが第２の機器によって正常に受信されたことを確認した後、前記第１の機器のＳＤＡＰエンティティに第２の指示情報を送信するように構成され、前記第２の指示情報は、前記第１のＱｏＳフローが前記第１のＤＲＢで前記第１のデータパケットの伝送を完了したことを指示するために使用される。
【００３９】
一実施形態において、前記伝送ユニット５０４は、前記第１の機器のＳＤＡＰエンティティを介して、前記第１のＱｏＳフローにおける前記第１のデータパケットの後のデータパケットを前記第２のＤＲＢにマッピングし、前記第２のＤＲＢに対応するＰＤＣＰエンティティを介して、前記第１のＱｏＳフローにおける前記第１のデータパケットの後のデータパケットを送信するように構成される。
【００４０】
一実施形態において、前記装置は、
前記第１の機器のＳＤＡＰエンティティを介して、前記第１のＱｏＳフローにおける前記第１のデータパケットの後のデータパケットをキャッシュするように構成されるキャッシュユニット５０５をさらに含む。
【００４１】
一実施形態において、前記伝送ユニット５０４は、キャッシュされた前記第１のＱｏＳフローにおける前記第１のデータパケットの後のデータパケットを前記第２のＤＲＢで伝送するように構成される。
【００４２】
一実施形態において、前記第１の決定ユニット５０１は、取得した前記第１のＱｏＳフローと前記第２のＤＲＢとのマッピング関係に基づいて、前記第１のＱｏＳフローを前記第１のＤＲＢから前記第２のＤＲＢに再マッピングする必要があると決定するように構成される。
【００４３】
一実施形態において、前記第１のＱｏＳフローと前記第２のＤＲＢとのマッピング関係は、前記第１のＱｏＳフローのＱｏＳに基づいて決定されるか、ＲＲＣシグナリングに基づいて決定される。
【００４４】
一実施形態において、前記第１の機器は、基地局または端末である。
【００４５】
当業者は、図５に示されたＱＯＳフローの再マッピング装置の各ユニットの実現機能が前記ＱＯＳフローの再マッピング方法に関する説明を参照して理解することができることを理解されたい。図６に示されたＱＯＳフローの再マッピング装置の各ユニットの機能は、プロセッサによって実行されるプログラムを介して実現することができ、具体的な論理回路によって実現することができる。
【００４６】
本発明の実施例の上記ＱＯＳフローの再マッピング装置がソフトウェア機能モジュールの形態で実装され、スタンドアロン製品として販売または使用される場合、コンピュータ読み取り可能な記憶媒体に格納されることができる。このような理解に基づいて、本発明の実施例の技術的解決策は、本質で先行技術に対して貢献のある部分は、ソフトウェア製品の形で具現されることができ、当該コンピュータソフトウェア製品は、１つの記憶媒体に記憶されて、１台のコンピュータ機器（パーソナルコンピュータ、サーバ、またはネットワーク機器等などであリ得る）が本発明の各実施例の前記方法の全部または一部を実行させるために、いくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【００４７】
対応的に、本発明の実施例は、コンピュータ実行可能な命令が記憶されるコンピュータ記憶媒体をさらに提供し、前記コンピュータ実行可能な命令がプロセッサによって実行される時、本開示の実施例の前記ＱＯＳフローの再マッピング方法が実現される。
【００４８】
図６は、本発明の実施例のコンピュータ機器の構造的構成の概略図であり、前記コンピュータ機器は第２の機器であってもよく、第１の機器であってもよい。図６に示されたように、コンピュータ機器１００は１つまたは複数（図には１つのみ示す）のプロセッサ１００２（プロセッサ１００２はマイクロプロセッサ（ＭＣＵ：Ｍｉｃｒｏ  Ｃｏｎｔｒｏｌｌｅｒ  Ｕｎｉｔ）またはプログラマブルロジックデバイス（ＦＰＧＡ：Ｆｉｅｌｄ  Ｐｒｏｇｒａｍｍａｂｌｅ  Ｇａｔｅ  Ａｒｒａｙ）などの処理装置を含み得るが、これに限定されない）、データを記憶するように構成されるメモリ１００４、および通信機能用の伝送装置１００６を含むことができる。当業者は、図６に示された構造が単なる例示であり、前記電子装置の構造を限定しないことを理解することができる。例えば、コンピュータ機器１００は、図６に示されるものより多くまたはより少ないコンポ―ネットを含み得るか、図６に示されるものとは異なる構成を有し得る。
【００４９】
メモリ１００４は、本発明の実施例における方法に対応するプログラム命令／モジュールなどのアプリケーションソフトウェアのソフトウェアプログラムおよびモジュールを記憶するように構成されることができ、プロセッサ１００２は、メモリ１００４に記憶されたソフトウェアプログラムおよびモジュールを実行することによって、様々な機能アプリケーションおよびデータ処理を実行し、即ち、前記方法を実現する。メモリ１００４は、高速ランダムメモリを含むことができ、１つまたは複数の磁気記憶装置、フラッシュメモリ、または他の不揮発性ソリッドステートメモリなどの不揮発性メモリをさらに含むことができる。いくつかの例において、メモリ１００４は、プロセッサ１００２に対してリモートで設定されたメモリをさらに含むことができ、これらのリモートメモリはネットワークを介してコンピュータ機器１００に接続することができる。前記ネットワークの例は、インターネット、企業イントラネット、ローカルエリアネットワーク、移動通信ネットワークおよびそれらの組み合わせを含むが、これらに限定されない。
【００５０】
伝送装置１００６は、１つのネットワークを介してデータを受信または送信するように構成される。前記ネットワークの具体的な例は、コンピュータ機器１００の通信プロバイダによって提供される無線ネットワークを含むことができる。１つの例において、伝送装置１００６は、基地局を介して他の第１の機器に接続することができ、それにより、インターネットと通信することができる１つのネットワークアダプタ（ＮＩＣ：Ｎｅｔｗｏｒｋ  Ｉｎｔｅｒｆａｃｅ  Ｃｏｎｔｒｏｌｌｅｒ）を含む。１つ例において、伝送装置１００６は無線方式を介してインターネットと通信するように構成される無線周波数（ＲＦ：Ｒａｄｉｏ  Ｆｒｅｑｕｅｎｃｙ）ユニットであり得る。
【００５１】
本発明の実施例で説明された技術案は、競合することなく、任意に組み合わせることができる。
【００５２】
本発明によって提供されたいくつかの実施例では、開示されたシステム、装置および方法は、他の方法で実現され得ることを理解されたい。上記で説明された機器実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。加えて、表示または議論される各構成部分の相互結合または直接結合または通信接続は、いくつかのインターフェース、装置またはユニットを介した間接な結合または通信接続であり得、電気的、機械的または他の形態であり得る。
【００５３】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際のニーズに従って、その中の一部またはすべてのユニットを選択して、本実施例の解決策の目的を実現することができる。
【００５４】
なお、本発明の各実施例における各機能ユニットはすべてを１つの第２の処理ユニットに統合されてもよく、または各ユニットは１つのユニットとして使用されてもよく、２つまたは２つ以上のユニットを１つのユニットに統合してもよく、前記統合されたユニットは、ハードウェアの形で実現されてもよく、ハードウェアとソフトウェア機能ユニットの形で実現されてもよい。
【００５５】
上記で説明したように、本発明の具体的な実施形態に過ぎないが、本発明の保護範囲はこれに限定されず、当業者は、本発明に開示された技術的範囲内で容易に想到し得る変更または置換は、すべて本発明の保護範囲内に含まれるべきである。
【図１】
2021517750.tif 000003
【図２】
2021517750.tif 000004
【図３】
2021517750.tif 000005
【図４】
2021517750.tif 000006
【図５】
2021517750.tif 000007
【図６】
2021517750.tif 000008
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
サービスの品質（ＱｏＳ）フローの再マッピング方法であって、
第１の機器が、第１のＱｏＳフローを第１のデータ無線ベアラ（ＤＲＢ）から第２のＤＲＢに再マッピングする必要があると決定した後、前記第１の機器のサービスデータアダプテーションプロトコル（ＳＤＡＰ）エンティティが第１のデータパケットを決定することであって、前記第１のデータパケットは、前記第１のＱｏＳフローによって前記第１のＤＲＢで送信された最後の１つのデータパケットであることと、
前記第１の機器のＳＤＡＰエンティティが、前記第１のＱｏＳフローが前記第１のＤＲＢで前記第１のデータパケットの伝送を完了したと決定した後、前記第１のＱｏＳフローを前記第２のＤＲＢにマッピングし、且つ前記第１のＱｏＳフローにおける前記第１のデータパケットの後のデータパケットを前記第２のＤＲＢで伝送することとを含む、前記ＱｏＳフローの再マッピング方法。
【請求項２】
前記第１の機器のＳＤＡＰエンティティが、前記第１のＱｏＳフローが前記第１のＤＲＢで前記第１のデータパケットの伝送を完了したと決定することは、
前記第１の機器のＳＤＡＰエンティティが、前記第１のＤＲＢに対応するパケットデータコンバージェンスプロトコル（ＰＤＣＰ）エンティティに第１の指示情報を送信することであって、前記第１の指示情報は、前記第１のＱｏＳフローによって前記第１のＤＲＢで送信された最後の１つのデータパケットが前記第１のデータパケットであることを指示するために使用されることを含む、
請求項１に記載のＱｏＳフローの再マッピング方法。
【請求項３】
前記第１の機器のＳＤＡＰエンティティが、前記第１のＱｏＳフローが前記第１のＤＲＢで前記第１のデータパケットの伝送を完了したと決定することは、
前記第１のＤＲＢに対応するＰＤＣＰエンティティが、前記第１のデータパケットが第２の機器によって正常に受信されたことを確認した後、前記第１の機器のＳＤＡＰエンティティに第２の指示情報を送信することであって、前記第２の指示情報は、前記第１のＱｏＳフローが前記第１のＤＲＢで前記第１のデータパケットの伝送を完了したことを指示するために使用されることをさらに含む、
請求項２に記載のＱｏＳフローの再マッピング方法。
【請求項４】
前記第１のＱｏＳフローを前記第２のＤＲＢにマッピングし、且つ前記第１のＱｏＳフローにおける前記第１のデータパケットの後のデータパケットを前記第２のＤＲＢで伝送することは、
前記第１の機器のＳＤＡＰエンティティが、前記第１のＱｏＳフローにおける前記第１のデータパケットの後のデータパケットを前記第２のＤＲＢにマッピングし、前記第２のＤＲＢに対応するＰＤＣＰエンティティを介して、前記第１のＱｏＳフローにおける前記第１のデータパケットの後のデータパケットを送信することを含む、
請求項１ないし３のいずれか一項に記載のＱｏＳフローの再マッピング方法。
【請求項５】
前記ＱｏＳフローの再マッピング方法は、
前記第１の機器が、第１のＱｏＳフローを第１のＤＲＢから第２のＤＲＢに再マッピングする必要があると決定した後、前記第１の機器のＳＤＡＰエンティティが、前記第１のＱｏＳフローにおける前記第１のデータパケットの後のデータパケットをキャッシュすることをさらに含む、
請求項１ないし４のいずれか一項に記載のＱｏＳフローの再マッピング方法。
【請求項６】
前記第１のＱｏＳフローを前記第２のＤＲＢにマッピングし、且つ前記第１のＱｏＳフローにおける前記第１のデータパケットの後のデータパケットを前記第２のＤＲＢで伝送することは、
キャッシュされた前記第１のＱｏＳフローにおける前記第１のデータパケットの後のデータパケットを前記第２のＤＲＢで伝送することを含む、
請求項５に記載のＱｏＳフローの再マッピング方法。
【請求項７】
前記第１の機器が、第１のＱｏＳフローを第１のＤＲＢから第２のＤＲＢに再マッピングする必要があると決定することは、
前記第１の機器が、取得した前記第１のＱｏＳフローと前記第２のＤＲＢとのマッピング関係に基づいて、前記第１のＱｏＳフローを前記第１のＤＲＢから前記第２のＤＲＢに再マッピングする必要があると決定することを含む、
請求項１ないし６のいずれか一項に記載のＱｏＳフローの再マッピング方法。
【請求項８】
前記第１のＱｏＳフローと前記第２のＤＲＢとのマッピング関係は、前記第１のＱｏＳフローのＱｏＳに基づいて決定されるか、無線リソース制御（ＲＲＣ）シグナリングに基づいて決定される、
請求項７に記載のＱｏＳフローの再マッピング方法。
【請求項９】
前記第１の機器は、基地局または端末である、
請求項１ないし８のいずれか一項に記載のＱｏＳフローの再マッピング方法。
【請求項１０】
ＱｏＳフローの再マッピング装置であって、
第１の機器に適用され、前記装置は、
第１のＱｏＳフローを第１のデータ無線ベアラ（ＤＲＢ）から第２のＤＲＢに再マッピングする必要があると決定するように構成される第１の決定ユニットと、
前記第１の機器のＳＤＡＰエンティティを介して第１のデータパケットを決定するように構成される第２の決定ユニットであって、前記第１のデータパケットは、前記第１のＱｏＳフローによって前記第１のＤＲＢで送信された最後の１つのデータパケットである第２の決定ユニットと、
前記第１の機器のＳＤＡＰエンティティを介して、前記第１のＱｏＳフローが前記第１のＤＲＢで前記第１のデータパケットの伝送を完了したと決定するように構成される第３の決定ユニットと、
前記第１のＱｏＳフローを前記第２のＤＲＢにマッピングし、且つ前記第１のＱｏＳフローにおける前記第１のデータパケットの後のデータパケットを前記第２のＤＲＢで伝送するように構成される伝送ユニットとを含む、前記ＱｏＳフローの再マッピング装置。
【請求項１１】
前記第３の決定ユニットは、前記第１の機器のＳＤＡＰエンティティを介して、前記第１のＤＲＢに対応するＰＤＣＰエンティティに第１の指示情報を送信するように構成され、前記第１の指示情報は、前記第１のＱｏＳフローによって前記第１のＤＲＢで送信された最後の１つのデータパケットが前記第１のデータパケットであることを指示するために使用され、
前記第３の決定ユニットは、さらに、前記第１のＤＲＢに対応するＰＤＣＰエンティティを介して、前記第１のデータパケットが第２の機器によって正常に受信されたことを確認した後、前記第１の機器のＳＤＡＰエンティティに第２の指示情報を送信するように構成され、前記第２の指示情報は、前記第１のＱｏＳフローが前記第１のＤＲＢで前記第１のデータパケットの伝送を完了したことを指示するために使用される、
請求項１０に記載のＱｏＳフローの再マッピング装置。
【請求項１２】
前記伝送ユニットは、前記第１の機器のＳＤＡＰエンティティを介して、前記第１のＱｏＳフローにおける前記第１のデータパケットの後のデータパケットを前記第２のＤＲＢにマッピングし、前記第２のＤＲＢに対応するＰＤＣＰエンティティを介して、前記第１のＱｏＳフローにおける前記第１のデータパケットの後のデータパケットを送信するように構成される、
請求項１０または１１に記載のＱｏＳフローの再マッピング装置。
【請求項１３】
前記第１の決定ユニットは、取得した前記第１のＱｏＳフローと前記第２のＤＲＢとのマッピング関係に基づいて、前記第１のＱｏＳフローを前記第１のＤＲＢから前記第２のＤＲＢに再マッピングする必要があると決定するように構成される、
請求項１０ないし１２のいずれか一項に記載のＱｏＳフローの再マッピング装置。
【請求項１４】
前記第１のＱｏＳフローと前記第２のＤＲＢとのマッピング関係は、前記第１のＱｏＳフローのＱｏＳに基づいて決定されるか、ＲＲＣシグナリングに基づいて決定される、
請求項１３に記載のＱｏＳフローの再マッピング装置。
【請求項１５】
前記第１の機器は、基地局または端末である、
請求項１０ないし１４のいずれか一項に記載のＱｏＳフローの再マッピング装置。
【国際調査報告】
2021517750.tif 000009
2021517750.tif 000010
2021517750.tif 000011
2021517750.tif 000012